(57)【要約】      （修正有）【課題】使用者が施力して運用する時、定点、往復回転の手押し操作を確実に達成することができる気動回転式マッサージ装置を提供する。【解決手段】空圧筒２２一端には押し棒２１を通し、推進装置２１２の位置を限定する筒蓋２２１を螺合して設置し、反対端の前段にはガードリングを環状に設置し、その間にはバネ２２３を嵌めて設置し、気圧式気動マッサージ装置３のファン３２により、前端に、前縁に偏心軸３３１を突出状に設置する偏心軸ブロック３３を結合して連動し、偏心軸３３１とマッサージブロック３４中央に設置する第二ベアリング３４１とは可動状態で接続し、伸縮プル棒の内側へ及び外側への移動時、バネ２２３の弾性圧力及び復位力を受け、しかも気動によりファン３２の正、逆回転を伝動し、偏心軸ブロック３３を回転させ、偏心軸３３１を転動させ、第二ベアリング３４１を連動し、マッサージブロック３４に対して偏心レール転動を行わせ、腕の伸展と運動部位への圧迫マッサージを実現する。【選択図】図５
0003164909.tif 000002
【実用新案登録請求の範囲】
【請求項１】
手押し操作の気動回転式マッサージ装置は、伸縮プル棒とマッサージ装置を備え、
前記伸縮プル棒は、押し棒一端にハンドルを設置し、反対端には推進装置を接続して設置し、空圧筒中にちょうど嵌り、
前記空圧筒一端には、押し棒を通し、前記推進装置の位置を限定する筒蓋を螺合して設置し、反対端前段の適当な位置には、ガードリングを環状に設置し、それと前記推進装置との間にはバネを嵌めて設置し、しかも端口部とマッサージ装置の第一ベアリングとは固定して設置し、中心にはファンを設置し、
前記ファンは、周縁に位置限定環状板を延伸して設置し、前記第一ベアリング片側に位置し、位置限定貫通板を中央の軸棒に通して嵌め、前記第一ベアリング反対側において挟み、
前記軸棒前端には、前縁に偏心軸を突出状に設置する偏心軸ブロックを結合し、前記偏心軸とマッサージブロック中央に設置する第二ベアリングとは、可動状態で接続し、
よって、前記伸縮プル棒が内側へ向かう時には、バネの弾性圧力を受け、しかも前記押し棒は、前記推進装置を連動して、ファンに対して空気を送り込み気動して、前記軸棒に軸回転を行わせ、さらにこれにより前端の偏心軸ブロックは転動し、回転動する偏心軸は第二ベアリングを連動し、前記マッサージブロックに対して偏心レール転動を行わせ、こうして前記マッサージブロックは、腹部に対して圧迫マッサージを提供し、
前記バネの復位力により、前記推進装置は戻り、前記押し棒は、前記伸縮プル棒の外側への伸展を連動し、反対方向にファンを気動し、空気を吸入して充填し、前記マッサージブロックに対して、逆偏心レール転動を行わせ、無抵抗伝送を提供し、倍力偏心転動を行い、
腕の伸展及び運動部位を圧迫マッサージする運用を提供することを特徴とする手押し操作の気動回転式マッサージ装置。
【請求項２】
前記手押し操作の気動回転式マッサージ装置は、前記伸縮プル棒を、弓形フレーム中央とマッサージ装置に組み立てて組成し、
前記伸縮プル棒は、前記押し棒一端をT型棒とし、しかも両端には、それぞれハンドルを延伸して設置し、外周には、底端に２組の跨ぎ槽を横方向に陥没状に設置する保護筒を設置し、前記弓形フレーム両端にそれぞれ架設する２個の弾性棒を跨がせて設置し、前記空圧筒一端と接続し、反対端には推進装置を接続して設置し、前記空圧筒中にちょうど嵌り、
前記空圧筒一端には、前記押し棒を通し、前記推進装置の位置を限定する筒蓋を螺合して設置し、反対端は、前記弓形フレーム中央に開設する固定された嵌口上に設置し、しかも前段の適当な位置にはガードリングを環状に設置し、
前記端口部とマッサージ装置の第一ベアリングとは固定して設置し、中心にはファンを設置し、前記ファンは、周縁に位置限定環状板を延伸して設置し、前記第一ベアリング片側に位置し、位置限定貫通板を中央の軸棒に通して嵌め、前記第一ベアリング反対側において挟み、軸棒前端には前縁に偏心軸を突出状に設置する偏心軸ブロックを結合し、偏心軸とマッサージブロック中央に設置する第二ベアリングとは可動状態で接続し、
よって、前記伸縮プル棒が内側へ向かう時にはバネの弾性圧力を受け、しかも前記押し棒は、前記推進装置を連動して、ファンに対して空気を送り込み気動して、前記軸棒に軸回転を行わせ、さらにこれにより前端の偏心軸ブロックは転動し、回転動する偏心軸は第二ベアリングを連動し、前記マッサージブロックに対して偏心レール転動を行わせ、
こうして、前記マッサージブロックは、腹部に対して圧迫マッサージを提供し、前記バネの復位力により、前記推進装置は戻り、前記押し棒は、前記伸縮プル棒の外側への伸展を連動し、反対方向にファンを気動し、空気を吸入して充填し、前記マッサージブロックに対して、逆偏心レール転動を行わせ、
無抵抗伝送を提供し、倍力偏心転動を行い、腕の伸展及び運動部位を圧迫マッサージする運用を提供することを特徴とする請求項１に記載の手押し操作の気動回転式マッサージ装置。
【請求項３】
前記手押し操作の気動回転式マッサージ装置は、伸縮プル棒とマッサージ装置を備え、
前記伸縮プル棒は、前記中空保護筒一端をT型棒とし、しかも両端にはハンドルを延伸して設置し、伸縮筒外周を覆い、
前記伸縮筒は、外空圧筒外周に嵌められ、両側には内向きに槽溝をそれぞれ陥没状に設置し、底部には保護筒底縁を押さえるロックブロックを外へと突出状に設置し、
前記押し棒一端は、筒内頂点部に設置し、反対端は前記推進装置を接続して設置し、前記空圧筒中にちょうど嵌り、
前記空圧筒一端には、押し棒を通し、前記推進装置の位置を限定する筒蓋を螺合して設置し、反対端前段の適当な位置には、ガードリングを環状に設置し、外周は固定結合板により連接し、中空に囲んで外空圧筒を形成し、
前記外空圧筒は、頂点端の相対する両側に、定滑車ユニットをそれぞれ可動状に設置し、両端により、固定結合板上にそれぞれ固定して設置し、前記伸縮筒底部と対応する内側の弾性棒状レールは、槽溝内を跨ぎ往復移動を行い、しかも前記端口部と前記マッサージ装置の第一ベアリングとは固定して設置し、中心にはファンを設置し、
前記ファンは、周縁に位置限定環状板を延伸して設置し、前記第一ベアリング片側に位置し、位置限定貫通板を中央の軸棒に通して嵌め、前記第一ベアリング反対側において挟み、軸棒前端には、前縁に偏心軸を突出状に設置する偏心軸ブロックを結合し、偏心軸とマッサージブロック中央に設置する第二ベアリングとは可動状態で接続し、
よって、前記伸縮プル棒が内側へ向かう時には、バネの弾性圧力を受け、しかも前記押し棒は、前記推進装置を連動して、ファンに対して空気を送り込み気動して、前記軸棒に軸回転を行わせ、さらにこれにより前端の偏心軸ブロックは転動し、回転動する偏心軸は第二ベアリングを連動し、マッサージブロックに対して偏心レール転動を行わせ、
こうして前記マッサージブロックは、腹部に対して圧迫マッサージを提供し、前記バネの復位力により、前記推進装置は戻り、前記押し棒は、前記伸縮プル棒の外側への伸展を連動し、反対方向にファンを気動し、空気を吸入して充填し、前記マッサージブロックに対して、逆偏心レール転動を行わせ、
無抵抗伝送を提供し、倍力偏心転動を行い、腕の伸展及び運動部位を圧迫マッサージする運用を提供することを特徴とする請求項１に記載の手押し操作の気動回転式マッサージ装置。
【請求項４】
前記手押し操作の気動回転式マッサージ装置は、中空保護筒に設置するT型棒を、前記伸縮筒外周に反対方向にかぶせることができ、頂点縁により押さえ、伸縮を連動し、こうして手持ち距離を短縮することを特徴とする請求項３に記載の手押し操作の気動回転式マッサージ装置。
【考案の詳細な説明】
【技術分野】
【０００１】
本考案は手押し操作の気動回転式マッサージ装置に関し、特に手で伸縮プル棒を内側へと押して内部へと入れ、また緩めて外側へと伸ばし、ファンを気動し、正、逆回転を行わせ、こうして偏心軸ブロックは回転動し偏心軸は第二ベアリングを連動し、マッサージブロックに対して偏心レール転動を行わせ、マッサージブロックは運動部位に対して圧迫マッサージを提供する手押し操作の気動回転式マッサージ装置に関する。
【背景技術】
【０００２】
腹筋トレーニングマシーンは、腹部マッサージ、震動に用いる一般の電動装置或いはプッシュホイール式等手動マッサージ器等とは異なり、使用者は腹筋トレーニングマシーンを、腹部前方に横方向に置き、手で内向きに往復させ押す運動を組合せ、この時、腹部が圧力を受け押されると、これに対応して力を入れる上半身の運動効果を達成する。
【０００３】
しかし、従来の腹筋トレーニングマシーンでは、身体、腹部と接触する腹部クッション部位が定点式であるため、使用時に、腹部筋肉の表面に、水平方向に出たり入ったりの押し圧力を加えることができるだけである。
このような操作は、確かに上半身の運動にはなるが、使用者の腹部の余分な脂肪に対しては、マッサージ或いは揉み出しの消去効果を提供することはできない。
【０００４】
このため、腹筋トレーニングマシーンの設計において、腹部クッションがマッサージ或いは震動の設計を兼ね備えたものが開発された。
その代表的な構造を、図１、２に示す。
同構造では、腹筋トレーニングマシーンの中段伸縮部5の伸縮棒51棒体上に、適当な螺旋槽511を設置する。
また、伸縮部5のスリーブ52底端には、螺旋槽511に対応して、これと噛み合うキーブロック521を設置する。
これにより、螺旋槽511は、キーブロック521に従い転動、移動することができる。
しかも、腹部クッション6は、外クッション61、及び外クッション61中に包まれる内クッション62を備える。
内クッション62頂点部は、伸縮棒51の底端に結合し、伸縮棒51に連動される。
また、内クッション62の底面には、多数の凸粒621を設置し、外クッション61は、軟質のカバークッション面611上に、クッションブロック612を設置する。クッションブロック612上には、数個の凸棒613を設置する。
また、外クッション61は、カバークッション面611により、内クッション62を覆った後、クッションブロック612は、内クッション62の底面に接触し、伸縮棒51が転動し伸縮移動すると、上、下にぶつかり、腹部クッション6はそれに対応して軽くたたく震動を形成し、使用者腹部に対して押圧を加える。
【０００５】
上記とは別の手で持つタイプの電動構造は、図３、４に示すように、カバー殼体7内部に、駆動モーター72を組み合わせて設置する。
さらに、蓋板71により、カバー殼体7に対応して、駆動モーター72上に蓋をする。
また、駆動モーター72は、蓋板71を貫通する心軸721を延伸し、駆動モーター72の心軸721とマッサージ作動部8とは相互に組み合わさる。
マッサージ作動部8は、回転動パーツ81及びマッサージパーツ82により組成し、しかも回転動パーツ81は、固定設置部811を旋回の中心として、外へと不対称距離を延伸する。
しかも、凸軸812及びウェイト部813をそれぞれ設置し、マッサージパーツ82は、一面にマッサージ面を形成する。
マッサージ面内は延伸して、可動接続部822を形成する。
凸軸812と可動接続部822は、ピボット方式により相互に位置を限定し、また凸軸812と可動接続部822は、相対して回転することができる。
これにより、マッサージパーツ82は、マッサージ面821が偏心回転動して人体に接触する時、発生する反作用力は、凸軸812及び可動接続部822を通して、相対的に回転動して打ち消される。
この時、マッサージパーツ82は、緩衝動状態を呈し、駆動モーター72は、心軸721が出力するトルク力により、回転動パーツ81のウェイト部813に対応して圧迫マッサージ作用を生じる。
さらに、可動接続部822と凸軸812を旋回の中心として、マッサージ面821を通して、接触部位に対して圧迫マッサージを生じる。
【０００６】
しかし、上記した従来の構造は、水平方向で、振り幅が小さい振動式マッサージ操作を提供できるだけであるため、その腹部脂肪へのマッサージ効果には限界がある。
しかも、腹部クッション6の震動は、使用者の手が施力する方向と相同であるため、使用者の施力時に、伸縮棒51前端腹部クッション6の転動抵抗力を形成し、腹部クッション6は転動し難くなってしまい、こうして予期の腹部マッサージ効果を達成することができない。
また、図３、４に示す手で持つ電動の方式により、マッサージ接触部位を移動させる構造は、接触部位に対してしか圧迫マッサージ動作を行うことができない。
【０００７】
よって本考案は、従来の腹筋トレーニングマシーンの上記した欠点に鑑み、使用者が施力して運用する時、前端と腹部が接触する腹部クッションは、定点、往復回転の手押し操作を確実に達成することができる気動回転式マッサージ装置構造を提供するためになされたものである。
【考案の概要】
【考案が解決しようとする課題】
【０００８】
本考案が解決しようとする第一の課題は、押し棒一端に、ハンドルを設置し、反対端には推進装置を設置し、空圧筒中にちょうど嵌め、空圧筒一端には押し棒を通し、推進装置の位置を限定する筒蓋を螺合して設置し、反対端の前段にはガードリングを環状に設置し、その間に係合して設置するバネにより、往復気動を行い、端口部には、中心にファンを設置する第一ベアリングを固定して設置し、ファン周縁には位置限定環状板を延伸して設置し、第一ベアリング片側に置き、位置限定貫通板を軸棒に通して設置し、第一ベアリング反対側において挟み、前端には、前縁に偏心軸を突出状に設置する偏心軸ブロックを結合し、偏心軸とマッサージブロック中央に設置する第二ベアリングとは、可動状態で接続し、内側へ移動する時、伸縮プル棒は縮み、バネの弾力を受けて反対に押され、押し棒は推進装置を連動し、ファンへ空気を押し込み、気動して軸上で転動させ、さらにこれにより前端の偏心軸ブロックは転動し、回転動する偏心軸は第二ベアリングを連動し、マッサージブロックに対して偏心レール転動を行わせ、これにより、マッサージブロックは所定部位に対して圧迫マッサージを行い、緩めると、推進装置はバネの復位力を受け反対方向に戻り、押し棒は伸縮プル棒を連動して伸ばし、推進装置は空気を吸入して充填し、これによりファンは反対方向に気動して逆に軸回転し、さらに前端の偏心軸ブロックを逆に回転させ、逆回転動偏心軸は、第二ベアリングを連動して、マッサージブロックに対して逆偏心レール転動を行わせ、こうしてマッサージブロックは所定部位に対して逆圧迫マッサージを行い、腕の伸展及び運動部位の圧迫マッサージを提供する手押し操作の気動回転式マッサージ装置を提供することである。
本考案が解決しようとする第二の課題は、押し棒一端をT型棒とし、両端にハンドルをそれぞれ延伸して設置し、外周には空圧筒一端と連続して保護筒を設置し、保護筒は底端に、２組の跨ぎ槽を横方向に陥没状に設置し、弓形フレーム両端に架設する２個の弾性棒を跨がせて設置し、空圧筒の反対端は、弓形フレーム中央に開設する嵌口中に固定して設置し、こうして空圧筒内のバネに代わる作用を発揮し、前記と相同の効果を提供することができる手押し操作の気動回転式マッサージ装置を提供することである。
本考案が解決しようとする第三の課題は、中空保護筒一端をT型棒とし、両端にはそれぞれハンドルを延伸して設置し、伸縮筒は外空圧筒外周に嵌められ、両側には内向きに槽溝をそれぞれ陥没状に設置し、及び底部にはロックブロックを外向きに突出状に設置し、押し棒一端は筒内頂点部に設置し、しかも空圧筒外周は固定結合板により連接し、中空に囲んで外空圧筒を形成し、頂点端の相対する両側に定滑車ユニットを可動状態で設置し、両端が固定結合板と伸縮筒底部内側にそれぞれ固定して設置する弾性棒状レールを跨がせて設置し、保護筒底縁によりロックブロックを押さえ、伸縮を連動し、こうして空圧筒内のバネに代わる作用を発揮し、前記と相同の効果を提供することができる手押し操作の気動回転式マッサージ装置を提供することである。
【課題を解決するための手段】
【０００９】
上記課題を解決するため、本考案は下記の手押し操作の気動回転式マッサージ装置を提供する。
【考案の効果】
【００１０】
本考案の手押し操作の気動回転式マッサージ装置は、手で伸縮プル棒を内側へと押して内部へと入れ、また緩めて外側へと伸ばし、ファンを気動し、正、逆回転を行わせ、こうして偏心軸ブロックは回転動し偏心軸は第二ベアリングを連動し、マッサージブロックに対して偏心レール転動を行わせ、マッサージブロックは運動部位に対して圧迫マッサージを提供することができる。
【図面の簡単な説明】
【００１１】
【図１】従来の腹筋トレーニングマシーンの立体組合せ図である。
【図２】従来の腹筋トレーニングマシーンの腹部クッションの模式図である。
【図３】従来の電動圧迫マッサージ機の立体分解図である。
【図４】従来の電動圧迫マッサージ機の断面組合せ図である。
【図５】本考案の立体分解図である。
【図６】本考案ファンの立体図である。
【図７】本考案の立体組合せ図である。
【図８】本考案の操作模式図である。
【図９】本考案の操作模式図である。
【図１０】本考案マッサージブロックの作動模式図である。
【図１１】本考案マッサージブロックの正視作動模式図である。
【図１２】本考案第二実施例の立体組合せ図である。
【図１３】本考案第二実施例の断面組合せ図である。
【図１４】本考案第三実施例の立体分解図である。
【図１５】本考案の弾性棒状レールが滑車ユニットを跨いで固定する様子を示す立体図である。
【図１６】本考案の弾性棒状レールが滑車ユニットを跨いで固定する様子を示す俯瞰図である。
【図１７】第三実施例の操作立体図である。
【図１８】第三実施例の操作立体図である。
【図１９】第三実施例の操作断面図である。
【図２０】第三実施例の操作断面図である。
【考案を実施するための形態】
【００１２】
以下に図面を参照しながら本考案を実施するための最良の形態について詳細に説明する。
【実施例】
【００１３】
図５〜９に示すように、本考案は、伸縮プル棒2、マッサージ装置3を備える。
伸縮プル棒2は、押し棒21一端に、ハンドル211を設置し、操作者は片手で持つことができる。
押し棒21反対端には、推進装置212を設置し、空圧筒22中にちょうど嵌る。
空圧筒22一端には、筒蓋221を螺設し、押し棒21を通して設置し、推進装置212の位置を限定する。
空圧筒22の反対端には、前段の適当な位置に、ガードリング222を環状に設置し、それと推進装置212との間には、バネ223を係合して設置する。
これにより、押し棒21は、空圧筒22内において往復気動することができ、しかも端口部224とマッサージ装置3とは、接続して設置する。
【００１４】
マッサージ装置3は、第一ベアリング31を、空圧筒22の端口部224上に固定して設置し、中心にはファン32を設置し、これにより気動によりその軸心は安定して旋回する。
ファン32は、周縁に位置限定環状板322を延伸して設置し、第一ベアリング31片側に位置する。
位置限定貫通板323を、中央の軸棒321に通して嵌め、第一ベアリング31反対側において挟み、転動時の緩みを防止する。
軸棒321前端には、前縁に偏心軸331を突出状に設置する偏心軸ブロック33を設置し、偏心軸331とマッサージブロック34中央に設置する第二ベアリング341とは、可動状態で接続する。
上記した構造により、腕を伸ばして押し、首、胸、腰、腹等筋肉部位及びリンパ部位をマッサージする実用効果を達成することができる。
【００１５】
図８〜１１に示すように、伸縮プル棒2の押し棒21を、筒蓋221に通した後、螺設する。
これにより、推進装置212を空圧筒22中に嵌めて設置し、バネ223一端を圧迫する。
しかも、端口部224とマッサージ装置4の第一ベアリング31を固定して設置し、続いて、マッサージブロック34を使用者の所定の運動部位にあて、手は一端のハンドル211を握る。
内向きの力を加えると、伸縮プル棒2は内側へと縮むように移動し、バネ223の弾力を受けて反対に押され、押し棒21は推進装置212を連動し、ファン32へ空気を押し込み、気動して転動させる。
次に、前端の偏心軸ブロック33を転動させ、偏心軸331を回転動させ、こうして第二ベアリング341を連動し、マッサージブロック34に対して偏心レール転動を行わせる。
これにより、マッサージブロック34は所定部位に対して圧迫マッサージを行う。
【００１６】
底まで達すると、推進装置212は、バネ223の復位力により反対に戻り、押し棒21は、伸縮プル棒2を連動して外へと伸ばす。
同時に、推進装置212は空気の吸入を始め、充填し、こうしてファン32は反対方向に気動され、逆に回転する。
続いて、前端の偏心軸ブロック33を逆に回転させ、偏心軸331を逆に回転させ、こうして第二ベアリング341を連動して、マッサージブロック34に対して、逆偏心レール転動を行わせる。
これにより、マッサージブロック34は、腹部に対して、逆圧迫マッサージを行い、無抵抗伝送を提供し、倍力偏心転動を行い、腕を伸ばし、所定部位を圧迫マッサージする効果を達成することができる。
【００１７】
図１２に示すように、本考案の第二実施例では、伸縮プル棒2の押し棒21一端をT型棒とし、両端には、それぞれハンドル211を延伸して設置し、これにより操作者は両手で持つことができる。
伸縮プル棒2外周には、空圧筒22一端と接続する保護筒23を設置する。
保護筒23は、底端に、２組の跨ぎ槽231を横方向に陥没状に設置し、弓形フレーム24両端に架設する２個の弾性棒241を跨がせて設置する。
空圧筒22の反対端は、弓形フレーム24中央に開設する嵌口242中に固定して設置し、空圧筒22内のバネ223と相同の作用を発揮し、伸縮プル棒2が内向きに引かれる時の弾性圧力と緩む時の復位力を提供し、上記した実施例と相同の効果を達成することができる。
【００１８】
図１４〜１７、図１９、２０に示すように、本考案の第三実施例は、第二実施例から派生したもので、伸縮プル棒2の中空保護筒23一端をT型棒とし、両端には、それぞれハンドル211を延伸して設置する。
これにより、操作者は両手で持ち、伸縮筒226外周に嵌めることができる。
伸縮筒226は、外空圧筒225外周に嵌められ、両側には、内向きに槽溝2262をそれぞれ陥没状に設置し、底部には、ロックブロック2261を外向きに突出状に設置する。
これにより、保護筒23底縁は、押さえられ、伸縮を連動することができる。
押し棒21一端は、筒内の頂点部に設置し、空圧筒22外周において、固定結合板2251により連接し、中空に囲んで外空圧筒225を形成する。
外空圧筒225は、頂点端の相対する両側に、定滑車ユニット2252をそれぞれ設置し、両端により、固定結合板2251上にそれぞれ固定して設置し、伸縮筒226底部と対応する内側の弾性棒241は、槽溝2262に跨いで設置し、内部で往復移動を行う。
こうして、空圧筒22内のバネ223と相同の作用を発揮し、伸縮プル棒2が内側へ圧迫する時の弾性圧力と緩む時の復位力を提供することができる。
しかも、中空保護筒23に設置するT型棒は、必要に応じて、伸縮筒226外周に反対向きに嵌めることもでき、これにより保護筒23頂点縁を押さえ、伸縮を連動することができる。
こうして、手持ち距離を短縮し、上記した実施例と相同の効果を達成することができる。
【００１９】
上記したように、本考案は確実に、伸ばして押し、さらに転換して首、胸、腰、腹等筋肉部位及びリンパ部位に対して圧迫マッサージの運用、正、逆回転マッサージを提供することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
２        伸縮プル棒
２１      押し棒
２１１    ハンドル
２１２    推進装置
２２      空圧筒
２２１    筒蓋
２２２    ガードリング
２２３    バネ
２２４    端口部
２２５    外空圧筒
２２５１  固定結合板
２２５２  定滑車ユニット
２２６    伸縮筒
２２６１  ロックブロック
２２６２  槽溝
２３      保護筒
２３１    跨ぎ槽
２４      弓形フレーム
２４１    弾性棒
２４２    嵌口
３        マッサージ装置
３１      第一ベアリング
３２      ファン
３２１    軸棒
３２２    位置限定環状板
３２３    位置限定貫通板
３３      偏心軸ブロック
３３１    偏心軸
３４      マッサージブロック
３４１    第二ベアリング
５        伸縮部
５１      伸縮棒
５１１    螺旋槽
５２      スリーブ
５２１    キーブロック
６        腹部クッション
６１      外クッション
６１１    クッション面
６１２    クッションブロック
６１３    凸棒
６２      内クッション
６２１    凸粒
７        カバー殼体
７１      蓋板
７２      駆動モーター
７２１    心軸
８        マッサージ作動部
８１      回転動パーツ
８１１    固定設置部
８１２    凸軸
８１３    ウェイト部
８２      マッサージパーツ
８２１    マッサージ面
８２２    可動接続部
【図１】
0003164909.tif 000003
【図２】
0003164909.tif 000004
【図３】
0003164909.tif 000005
【図４】
0003164909.tif 000006
【図５】
0003164909.tif 000007
【図６】
0003164909.tif 000008
【図７】
0003164909.tif 000009
【図８】
0003164909.tif 000010
【図９】
0003164909.tif 000011
【図１０】
0003164909.tif 000012
【図１１】
0003164909.tif 000013
【図１２】
0003164909.tif 000014
【図１３】
0003164909.tif 000015
【図１４】
0003164909.tif 000016
【図１５】
0003164909.tif 000017
【図１６】
0003164909.tif 000018
【図１７】
0003164909.tif 000019
【図１８】
0003164909.tif 000020
【図１９】
0003164909.tif 000021
【図２０】
0003164909.tif 000022